(57)【要約】【課題】操作により電源オン状態にすることができると共に充電中であれば自動的に電源オフ状態から電源オン状態へ移行させることができる移動体通信装置を提供することを目的とする。【解決手段】充電中か否かを検知する充電検知部と、電源をオン・オフする操作部と、全体を制御する制御部２１とを有する移動体通信装置であって、制御部２１は、電源オン状態か否かを判定する電源オンオフ判定手段２１２と、電源オン状態でないと電源オンオフ判定手段２１２が判定したとき充電検知部の検知結果に基づいて充電中か否かを判定する充電判定手段２１４と、操作部が電源オン状態であると電源オンオフ判定手段２１２が判定したとき又は充電中であると充電判定手段２１４が判定したときには電源オン処理を行う電源オン処理手段２１５とを有する。【選択図】  図２
2004350013.tif 000002
【特許請求の範囲】
【請求項１】
充電中か否かを検知する充電検知部と、電源をオン・オフする操作部と、全体を制御する制御部とを有する移動体通信装置であって、
前記制御部は、電源オン状態か否かを判定する電源オンオフ判定手段と、電源オン状態でないと前記電源オンオフ判定手段が判定したとき前記充電検知部の検知結果に基づいて充電中か否かを判定する充電判定手段と、前記操作部が電源オン状態であると前記電源オンオフ判定手段が判定したとき又は充電中であると前記充電判定手段が判定したときには電源オン処理を行う電源オン処理手段とを有することを特徴とする移動体通信装置。
【請求項２】
前記移動体通信装置は、親機と子機とから成るコードレス電話装置の前記子機であることを特徴とする請求項１に記載の移動体通信装置。
【請求項３】
前記移動体通信装置は、ＰＨＳ電話機・自動車電話機等の携帯型電話機であることを特徴とするを請求項１に記載の移動体通信装置。
【発明の詳細な説明】
【０００１】
【発明の属する技術分野】
本発明は、コードレス電話装置の子機や携帯型電話機などの移動体通信装置に関するものである。
【０００２】
【従来の技術】
図１は、移動体通信装置としての子機を有するコードレス電話装置の一般構成を示すブロック図であり、例えば（特許文献１）に記載されている。
【０００３】
図１において、１は親機、２は親機１のアンテナ１ａおよび自機のアンテナ２ａを介して親機１と無線通信可能な子機、３は外線としての電話回線である。
【０００４】
親機１は、全体を制御する制御部１１と、子機２と無線通信を行う無線通信部１２と、送話部１４および受話部１５が接続される通話回路部１３と、操作部１６と、電話回線３との通信のための回線インタフェース部１７と、外部からの交流を直流に変換する電源制御部１８と、子機２の充電端子（後述する）２８と接続される充電端子１９とを有する。
【０００５】
また、子機２は、全体を制御する制御部２１と、親機１と無線通信を行う無線通信部２２と、送話部２４および受話部２５が接続される通話回路部２３と、文字やデータを表示する表示部２６と、電源オン・オフ等の操作を行う操作部２７と、親機１の充電端子１９と接続される充電端子２８と、充電端子２８からの充電電流の有無を検知する充電検知部２９と、図示しない電池等を収納して子機２に電源を供給する電源制御部３０とを有する。
【０００６】
このように構成されたコードレス電話装置の子機２の制御部２１の従来動作について、図４を用いて説明する。図４は、図１の子機２の制御部２１の従来動作を示すフローチャートである。なお、操作部２７の電源状態は初期状態では電源オン状態（たとえば、電源押しボタンが押下されてオンとなっている状態）であるとする。
【０００７】
図４において、まず、電源オン後の通常動作を行う（Ｓ１１）。次に、操作部２７において電源がオフ状態か否かを判定する（Ｓ１２）。操作部２７において電源オフの操作をしたことにより電源オフの状態になったと判定した場合は、電源オフ処理を行い（Ｓ１３）、次に、操作部２７において電源がオン状態か否かを判定する（Ｓ１４）。すなわち、電源がオンになるまで待機する。次に、ステップＳ２４で電源オン状態であると判定したときは、電源オン処理を行う（Ｓ１５）。
【０００８】
図４のフローチャートに示すように、従来の子機２では、電源のオン・オフ操作は使用者自らが行っていた。また、電源のオン・オフと充電動作との関連付けはなかった。
【０００９】
【特許文献１】
特開平７−１５４４５３号公報
【００１０】
【発明が解決しようとする課題】
このように、従来の移動体通信装置としての子機では、電源のオン・オフ操作を使用者自らが行わなければならず、無意識に電源オフにした場合や電源オンにする操作を知らない場合には子機２を電源オン状態にすることができず、このため子機２の動作は停止したままであるという問題点を有し、また電源オンの操作を知っている場合においては常に手操作を必要とし、操作が繁雑であるという問題点を有していた。
【００１１】
この移動体通信装置では、操作により電源オン状態にすることができると共に充電中であれば自動的に電源オフ状態から電源オン状態へ移行することができることが要求されている。
【００１２】
本発明は、この要求を満たすため、操作により電源オン状態にすることができると共に充電中であれば自動的に電源オフ状態から電源オン状態へ移行させることができる移動体通信装置を提供することを目的とする。
【００１３】
【課題を解決するための手段】
上記課題を解決するために本発明の移動体通信装置は、充電中か否かを検知する充電検知部と、電源をオン・オフする操作部と、全体を制御する制御部とを有する移動体通信装置であって、制御部は、電源オン状態か否かを判定する電源オンオフ判定手段と、電源オン状態でないと電源オンオフ判定手段が判定したとき充電検知部の検知結果に基づいて充電中か否かを判定する充電判定手段と、操作部が電源オン状態であると電源オンオフ判定手段が判定したとき又は充電中であると充電判定手段が判定したときには電源オン処理を行う電源オン処理手段とを有する構成を備えている。
【００１４】
これにより、操作により電源オン状態にすることができると共に充電中であれば自動的に電源オフ状態から電源オン状態へ移行させることができる移動体通信装置が得られる。
【００１５】
【発明の実施の形態】
本発明の請求項１に記載の移動体通信装置は、充電中か否かを検知する充電検知部と、電源をオン・オフする操作部と、全体を制御する制御部とを有する移動体通信装置であって、制御部は、電源オン状態か否かを判定する電源オンオフ判定手段と、電源オン状態でないと電源オンオフ判定手段が判定したとき充電検知部の検知結果に基づいて充電中か否かを判定する充電判定手段と、操作部が電源オン状態であると電源オンオフ判定手段が判定したとき又は充電中であると充電判定手段が判定したときには電源オン処理を行う電源オン処理手段とを有することとしたものである。
【００１６】
この構成により、電源オフ処理を行っているとき操作部が電源オン状態であると電源オンオフ判定手段が判定したとき（操作部が電源オン状態へ移行したと判定したとき）は、電源をオンにし通常動作へ移行するなどの電源オン処理を行うとができ、また、電源オフ処理を行っているとき充電中であると判定したときには自動的に電源オン処理へ移行させることができるので、操作により電源オン状態にすることができると共に充電中であれば自動的に電源オフ状態から電源オン状態へ移行させることができるという作用を有する。
【００１７】
請求項２に記載の移動体通信装置は、請求項１に記載の移動体通信装置において、移動体通信装置は、親機と子機とから成るコードレス電話装置の子機であることとしたものである。
【００１８】
この構成により、コードレス電話装置の子機においても、操作により電源オン状態にすることができると共に充電中であれば自動的に電源オフ状態から電源オン状態へ移行させることができるという作用を有する。
【００１９】
請求項３に記載の移動体通信装置は、請求項１に記載の移動体通信装置において、移動体通信装置は、ＰＨＳ電話機・自動車電話機等の携帯型電話機であることとしたものである。
【００２０】
この構成により、ＰＨＳ電話機・自動車電話機等の携帯型電話機においても、操作により電源オン状態にすることができると共に充電中であれば自動的に電源オフ状態から電源オン状態へ移行させることができるという作用を有する。
【００２１】
以下、本発明の実施の形態について、図１〜図３を用いて説明する。
【００２２】
（実施の形態１）
本発明の実施の形態１による移動体通信装置の構成は、図１に示す子機２と同様の構成である。
【００２３】
図２は、図１の子機２の制御部２１を示す機能ブロック図であり、各機能はソフトウェアにより実現されるものである。
【００２４】
図２において、２１は図１と同様の制御部、２１１は操作部２７が電源オン状態であるときに通常動作を行う通常動作手段、２１２は通常動作時に操作部２７が電源オフ状態か否かを判定すると共に後述の電源オフ処理手段２１３により電源オフ処理を行っているとき操作部２７が電源オン状態か否かを判定する電源オンオフ判定手段、２１３は操作部２７が電源オフ状態であると電源オンオフ判定手段２１２が判定したときに電源オフ処理を行う電源オフ処理手段、２１４は操作部２７が電源オン状態でないと電源オンオフ判定手段２１２が判定したとき充電検知部２９の検知結果に基づいて充電中か否かを判定する充電判定手段、２１５は操作部２７が電源オン状態であると電源オンオフ判定手段２１２が判定したとき又は充電中であると充電判定手段２１４が判定したとき電源オン処理を行う電源オン処理手段である。
【００２５】
このように構成された子機２の制御部２１の動作について、図３を用いて説明する。図３は、図１の子機２の制御部２１の動作を示すフローチャートである。なお、操作部２７の電源状態は初期状態では電源オン状態であるとする。
【００２６】
図３において、まず、通常動作手段２１１は、操作部２７が電源オン状態であることにより、通常動作を行う（Ｓ１）。この通常動作時において、電源オンオフ判定手段２１２は、操作部２７が電源オフ状態か否か（すなわち電源オン状態から電源オフ状態へ移行したか否か）を判定し（Ｓ２）、電源オフ状態でないと判定したときにはステップＳ１へ戻る。ステップＳ２で電源オフ状態であると判定したときには電源オフ処理手段２１３は電源オフ処理を行う（Ｓ３）。電源オフ処理終了後、電源オンオフ判定手段２１２は、操作部２７が電源オン状態か否か（すなわち電源オフ状態から電源オン状態へ移行したか否か）を判定する（Ｓ４）。ステップＳ４で電源オン状態であると判定したときには、電源オン処理手段２１５は電源オン処理を行う（Ｓ５）。ステップＳ４で電源オン状態でないと判定したときには次に充電判定手段２１４は、充電検知部２９の検知結果に基づいて、充電中か否かを判定する（Ｓ６）。ステップＳ６で充電中でないと判定したときにはステップＳ４に戻る。すなわち、充電中でない場合には電源オンの待機状態となる。ステップＳ６で充電判定手段２１４が充電中であると判定したときは次に電源オン処理手段２１５は電源オン処理を行う（Ｓ５）。
【００２７】
なお、図１では、子機２の充電は、親機１からの充電電流により行うようにしたが、本発明はこれに限らず、独立した充電装置により子機２の充電を行う場合も本発明の範囲内であり、同様の効果を奏するものである。また、本実施の形態ではコードレス電話装置の子機２を移動体通信装置として示したが、本発明はこれに限らず、移動体通信装置としては例えばＰＨＳ電話機・自動車電話機等の携帯型電話機も含まれるものである。
【００２８】
以上のように本実施の形態によれば、制御部２１は、電源オン状態か否かを判定する電源オンオフ判定手段２１２と、電源オン状態でないと電源オンオフ判定手段２１２が判定したとき充電検知部２９の検知結果に基づいて充電中か否かを判定する充電判定手段２１４と、操作部２７が電源オン状態であると電源オンオフ判定手段２１２が判定したとき又は充電中であると充電判定手段２１４が判定したときには電源オン処理を行う電源オン処理手段２１５とを有することにより、電源オフ処理を行っているとき操作部２７が電源オン状態であると電源オンオフ判定手段２１２が判定したとき（操作部２７が電源オン状態へ移行したと判定したとき）は、電源をオンにし通常動作へ移行するなどの電源オン処理を行うとができ、また、電源オフ処理を行っているとき充電中であると判定したときには自動的に電源オン処理へ移行させることができるので、操作により電源オン状態にすることができると共に充電中であれば自動的に電源オフ状態から電源オン状態へ移行させることができる。
【００２９】
また、移動体通信装置は、親機１と子機２とから成るコードレス電話装置の子機２であることにより、コードレス電話装置の子機２においても、操作により電源オン状態にすることができると共に充電中であれば自動的に電源オフ状態から電源オン状態へ移行させることができる。
【００３０】
さらに、移動体通信装置は、ＰＨＳ電話機・自動車電話機等の携帯型電話機であることにより、ＰＨＳ電話機・自動車電話機等の携帯型電話機においても、操作により電源オン状態にすることができると共に充電中であれば自動的に電源オフ状態から電源オン状態へ移行させることができる。
【００３１】
【発明の効果】
以上説明したように本発明の請求項１に記載の移動体通信装置によれば、充電中か否かを検知する充電検知部と、電源をオン・オフする操作部と、全体を制御する制御部とを有する移動体通信装置であって、制御部は、電源オン状態か否かを判定する電源オンオフ判定手段と、電源オン状態でないと電源オンオフ判定手段が判定したとき充電検知部の検知結果に基づいて充電中か否かを判定する充電判定手段と、操作部が電源オン状態であると電源オンオフ判定手段が判定したとき又は充電中であると充電判定手段が判定したときには電源オン処理を行う電源オン処理手段とを有することにより、電源オフ処理を行っているとき操作部が電源オン状態であると電源オンオフ判定手段が判定したとき（操作部が電源オン状態へ移行したと判定したとき）は、電源をオンにし通常動作へ移行するなどの電源オン処理を行うとができ、また、電源オフ処理を行っているとき充電中であると判定したときには自動的に電源オン処理へ移行させることができるので、操作により電源オン状態にすることができると共に充電中であれば自動的に電源オフ状態から電源オン状態へ移行させることができるという有利な効果が得られる。
【００３２】
請求項２に記載の移動体通信装置によれば、請求項１に記載の移動体通信装置において、移動体通信装置は、親機と子機とから成るコードレス電話装置の子機であることにより、コードレス電話装置の子機においても、操作により電源オン状態にすることができると共に充電中であれば自動的に電源オフ状態から電源オン状態へ移行させることができるという有利な効果が得られる。
【００３３】
請求項３に記載の移動体通信装置によれば、請求項１に記載の移動体通信装置において、移動体通信装置は、ＰＨＳ電話機・自動車電話機等の携帯型電話機であることにより、ＰＨＳ電話機・自動車電話機等の携帯型電話機においても、操作により電源オン状態にすることができると共に充電中であれば自動的に電源オフ状態から電源オン状態へ移行させることができるという有利な効果が得られる。
【図面の簡単な説明】
【図１】移動体通信装置としての子機を有するコードレス電話装置の一般構成を示すブロック図
【図２】図１の子機の制御部を示す機能ブロック図
【図３】図１の子機の制御部の動作を示すフローチャート
【図４】図１の子機の制御部の従来動作を示すフローチャート
【符号の説明】
１  親機
１ａ、２ａ  アンテナ
２  子機
３  電話回線
１１、２１  制御部
１２、２２  無線通信部
１３、２３  通話回路部
１４、２４  送話部
１５、２５  受話部
１６、２７  操作部
１７  回線インタフェース部
１８、３０  電源制御部
１９、２８  充電端子
２６  表示部
２９  充電検知部
２１１  通常動作手段
２１２  電源オンオフ判定手段
２１３  電源オフ処理手段
２１４  充電判定手段
２１５  電源オン処理手段
【図１】
2004350013.tif 000003
【図２】
2004350013.tif 000004
【図３】
2004350013.tif 000005
【図４】
2004350013.tif 000006